(57)【要約】【課題】フォログラムを設けた証明書類であっても、この証明書類を撮像した撮像画像によって住所、氏名等の記載内容が確認できる合成画像生成装置を提供する。【解決手段】自動契約受付装置１は、光源４１を点灯し、光源４２、４３を消灯し、書画撮像カメラ３１で書画台３ａに載置されている証明書類を撮像する。また、自動契約受付装置１は、光源４２を点灯し、光源４１、４３を消灯し、書画撮像カメラ３１で書画台３ａに載置されている証明書類を撮像する。さらに、自動契約受付装置１は、光源４３を点灯し、光源４１、４２を消灯し、書画撮像カメラ３１で書画台３ａに載置されている証明書類を撮像する。そして、これらの３つの撮像画像を用いて、合成画像を生成する。【選択図】図３
2009176082.tif 000002
【特許請求の範囲】
【請求項１】
載置台に載置された証明書類を撮像する撮像手段と、
前記載置台に載置された証明書類を照らす照明手段と、
前記載置台に載置された証明書類に対する前記照明手段の照明方向を切り替える照明方向切替手段と、
載置台に載置された証明書類に対する前記照明手段の照明方向を前記照明方向切替手段により切り替え、前記撮像手段によって照明方向を異ならせた複数枚の撮像画像を取得する撮像画像取得手段と、
前記撮像画像取得手段が取得した複数枚の撮像画像を合成した合成画像を生成する合成画像生成手段と、を備えた合成画像生成装置。
【請求項２】
前記撮像画像取得手段が取得した複数枚の撮像画像を上位装置に送信し、この上位装置から、撮像画像毎に切り取り領域を取得する切取領域取得手段を備え、
前記合成画像生成手段は、撮像画像毎に、その撮像画像について前記切取領域取得手段が取得した切り取り領域を切り取った複数枚の画像を合成した合成画像を生成する手段である、請求項１に記載の合成画像生成装置。
【請求項３】
前記合成画像生成手段により生成された合成画像を用いて、前記撮像手段で撮像した証明書類が適正であるかどうかを判定する判定手段を備えた、請求項１または２に記載の合成画像生成装置。
【発明の詳細な説明】
【技術分野】
【０００１】
この発明は、複数枚の撮像画像を合成した合成画像を生成する合成画像生成装置に関し、特に、運転免許証、健康保険証、外国人登録証等の証明書類を撮像した撮像画像を用いて、顧客との間におけるクレジット加入や金銭貸借等の契約を受け付ける自動契約受付装置に適用できる合成画像生成装置に関する。
【背景技術】
【０００２】
従来、金融機関等では、顧客との間における、クレジット加入や金銭貸借等の契約を行う自動契約受付装置が利用されている。自動契約受付装置としては、例えば特許文献１、２に示されているものがある。自動契約受付装置は、店舗に設置され、契約を行う顧客が操作する。自動契約受付装置は、通信回線を介してセンタに設置された管理装置に接続されている。この管理装置は、自動契約受付装置を操作している顧客との契約について審査するオペレータが操作する。
【０００３】
自動契約受付装置で契約を行う顧客は、住所、氏名、電話番号等の必要事項を記入した申込書や、運転免許証、健康保険証、外国人登録証等の身分の照明に用いる書類（以下、証明書類と言う。）書を載置台に載置する。自動契約受付装置は、載置台に載置された書類を撮像する撮像装置を備えており、当該撮像装置で撮像した書類の撮像画像を通信回線を介して管理装置へ送信する。管理装置は、自動契約受付装置から送信されてきた撮像画像を表示する。オペレータは、管理装置において表示された申込書や、証明書類等の画像を確認し、自動契約受付装置を操作している顧客との契約を許可するかどうかを判断した判断結果を管理装置に入力する。管理装置は、オペレータが入力した判断結果を通信回線を介して自動契約受付装置に送信する。自動契約受付装置は、管理装置から送信されてきた判断結果に基づいて、顧客に対する契約書や会員カード等の発行、契約不可の通知等を行う。このように、従来の自動契約受付装置を利用したシステムでは、証明書類の真偽を、オペレータが直接手に持って確認するのではなく、自動契約受付装置で撮像された証明書類の撮像画像の目視確認で行っていた。
【特許文献１】特開平９−２０４４６４号公報
【特許文献２】特開２０００−３５８１８４号公報
【発明の開示】
【発明が解決しようとする課題】
【０００４】
しかしながら、最近では、偽造防止のために、フォログラムを設けた証明書類が増加している。フォログラムを設けた証明書類を撮像した場合、撮像画像はフォログラムの浮き出た撮像画像になり、この浮き出たフォログラムによって証明書類に記載されている住所、氏名等の記載内容が確認できない。このため、従来の自動契約受付装置では、フォログラムを設けた証明書類が使用された場合には、証明書類に記載されている住所、氏名等の記載内容が確認できず、顧客との契約が行えないという問題があった。
【０００５】
この発明の目的は、フォログラムを設けた証明書類であっても、この証明書類を撮像した撮像画像によって住所、氏名等の記載内容が確認できる合成画像生成装置を提供することにある。
【課題を解決するための手段】
【０００６】
この発明の合成画像生成装置は、上記課題を解決し、その目的を達するために、以下のように構成している。
【０００７】
この合成画像生成装置は、撮像手段が載置台に載置された証明書類を撮像する。また、照明手段が、前記載置台に載置された証明書類を照らす。照明方向切替手段が、前記載置台に載置された証明書類に対する前記照明手段の照明方向を切り替える。また、撮像画像取得手段が、載置台に載置された証明書類に対する前記照明手段の照明方向を前記照明方向切替手段により切り替え、前記撮像手段によって照明方向を異ならせた複数枚の撮像画像を取得する。そして、合成画像生成手段が、前記撮像画像取得手段が取得した複数枚の撮像画像を合成した合成画像を生成する。
【０００８】
フォログラムを設けた証明書類を撮像した場合、撮像画像におけるフォログラムの浮き出る位置は、照明の方向によって変化する。したがって、照明方向を異ならせて撮像した複数枚の撮像画像を得ることで、いずれかの撮像画像では浮き出たフォログラムによって記載内容が確認できない部分が、他の撮像画像で確認できる。したがって、照明方向を異ならせて撮像した複数枚の撮像画像を合成することで、フォログラムを設けた証明書類であっても、記載内容が確認できる画像（合成画像）が得られる。
【０００９】
合成画像は、例えば、各撮像画像の対応する画素の画素値の平均値を画素値として生成すればよい。
【００１０】
また、前記撮像画像取得手段が取得した複数枚の撮像画像を上位装置に送信し、この上位装置から、撮像画像毎に切り取り領域を取得する切取領域取得手段を設ける。そして、前記合成画像生成手段が、撮像画像毎に、その撮像画像について前記切取領域取得手段が取得した切り取り領域を切り取った複数枚の画像を重ね合わせて合成した合成画像を生成する、構成としてもよい。上位装置は、この上位装置を操作しているオペレータ等に、送信されてきた撮像画像毎に、フォログラムが浮き出ている領域を切り取り領域として指定させ、その結果を送信する構成とすればよい。これにより、フォログラムが浮き出ている領域を切り取った複数枚の撮像画像によって、合成画像を生成することができるので、記載内容が確認できる画像（合成画像）が得られる。
【００１１】
このため、運転免許証、健康保険証、外国人登録証等の証明書類を撮像した撮像画像を用いて、顧客との間におけるクレジット加入や金銭貸借等の契約を受け付ける自動契約受付装置に適用することで、フォログラムを設けた証明書類が使用されても、顧客との契約が行えないという事態の発生頻度が抑えられる。
【００１２】
また、前記合成画像生成手段により生成された合成画像を用いて、前記撮像手段で撮像した証明書類が適正であるかどうかを判定する判定手段を設けてもよい。
【発明の効果】
【００１３】
この発明によれば、フォログラムを設けた証明書類であっても、この証明書類を撮像した撮像画像によって住所、氏名等の記載内容が確認できる。
【発明を実施するための最良の形態】
【００１４】
以下、この発明にかかる合成画像生成装置を適用した自動契約受付装置について説明する。
【００１５】
図１は、自動契約受付装置の外観を示す外観図である。図２は、この自動契約受付装置の主要部の構成を示すブロック図である。この自動契約受付装置１は、運転免許証、健康保険証、外国人登録証等の証明書類を撮像した撮像画像を用いて、顧客との間におけるクレジット加入や金銭貸借等の契約を受け付ける。自動契約受付装置１は、契約を希望する顧客が操作する。自動契約受付装置１は、契約が成立した顧客に対してカードを発行し、契約が成立しなかった顧客についてはカードを発行しない。この自動契約受付装置１は、制御部２と、書類撮像部３と、照明部４と、照明方向切替部５と、合成画像生成部６と、顧客撮像部７と、表示部８と、操作部９と、書類発行／回収部１０と、カード発行部１１と、通信部１２と、を備えている。
【００１６】
制御部２は、本体各部の動作を制御する。書類撮像部３は、書画台３ａに載置された証明書類を上方から撮像する書画撮像カメラを有している。照明部４は、書画台３ａに載置されている証明書類を照らす光源を有している。照明方向切替部５は、書画台３ａに載置されている証明書類に対する照明部４の照明方向を切り替える。この照明方向を切り替える構成の詳細については、後述する。合成画像生成部６は、書画台３ａに載置された証明書類について、書類撮像部３で撮像した複数枚の撮像画像を用いて合成画像を生成する。顧客撮像部７は、装置本体前面を撮像領域とする顧客撮像カメラを有し、本体前面にいる顧客を撮像する。表示部８は、顧客に対する操作案内画面等を表示器８ａに表示する。操作部９は、表示器８ａの表示画面上に貼付されたタッチパネル９ａ等の入力デバイスを有し、顧客の入力操作を受け付ける。書類発行／回収部１０は、利用者に対する契約書の放出や、利用者が必要事項を記入した契約書の回収を行う。カード発行部１１は、本体前面に設けられたカード発行口１１ａにカードを放出する。自動契約受付装置１は、契約が成立した顧客に対してカードを発行し、契約が成立しなかった顧客についてはカードを発行しない。通信部１２は、公衆回線や専用回線を介して接続された管理装置との間におけるデータ通信を制御する。この管理装置は、顧客との契約を許可するかどうかを判断するオペレータによって操作される。自動契約受付装置１は、顧客に対する契約成立、または不成立が管理装置から通知される。また、自動契約受付装置１は、本体前面に顧客がいるかどうかを検知する近接センサを有している。
【００１７】
次に、照明方向切替部５の構成について説明する。図３は、書画台周辺の概略図である。照明部４は、書画台３ａに載置された証明書類を照らす３つの光源４１、４２、４３を有している。光源４１は、書画台３ａに載置された証明書類を左方向から照らす位置に取り付けている。光源４２は、書画台３ａに載置された証明書類を略真上から照らす位置に取り付けている。さらに、光源４３は、書画台３ａに載置された証明書類を右方向から照らす位置に取り付けている。照明方向切替部５は、照明部４の各光源４１、４２、４３の点灯／消灯を制御することにより、書画台３ａに載置されている証明書類に対する照明方向を切り替える。具体的には、光源４１を点灯し、光源４２、４３を消灯することにより、書画台３ａに載置されている証明書類に対する照明方向を左方向にする。また、光源４２点灯し、光源４１、４３を消灯することにより、書画台３ａに載置されている証明書類に対する照明方向を真上方向にする。さらに、光源４３を点灯し、光源４１、４２を消灯することにより、書画台３ａに載置されている証明書類に対する照明方向を右方向にする。
【００１８】
なお、図３に示す３１は、撮像部３の書画撮像カメラであり、書画台３ａに載置されている証明書類を上方から撮像する位置に取り付けている。また、この書画撮像カメラ３１は、光源４１、４２、４３が撮像領域内に入らないように取り付けている。すなわち、書画台３ａに載置されている証明書類を撮像したときに、光源４１、４２、４３が写っておらず、証明書類全体が写っている撮像画像が得られる位置に取り付けている。
【００１９】
次に、この自動契約受付装置１の動作について説明する。図４は、この自動契約受付装置の動作を示すフローチャートである。自動契約受付装置１は、顧客により契約処理の開始にかかる入力操作が行われると、図４に示す処理を開始する。この契約開始処理にかかる入力操作は、タッチパネル９ａの所定の位置を押下することにより行える。このとき、表示器８ａには、メニュー画面が表示されており、顧客は、契約処理を開始するにあたり、タッチパネル９ａのどの部分を押下すればよいのか簡単に判断できる。このメニュー画面の表示は、近接センサにより本体前面に顧客がいることを検知したタイミングで行われる。
【００２０】
自動契約受付装置１は、まず、通信部１２において、通信回線を介して図示していない管理装置との回線を接続する（ｓ１）。これにより、自動契約受付装置１は、この管理装置とデータ通信可能に接続される。そして、自動契約受付装置１は、顧客撮像部７において顧客撮像カメラによる顧客の撮像を開始する（ｓ２）。自動契約受付装置１は、顧客撮像カメラで撮像している顧客の画像を、通信回線を介して管理装置に送信する。管理装置では、自動契約受付装置１から送信されてきた顧客の画像を表示器に表示する。したがって、管理装置を操作しているオペレータは、自動契約受付装置１を操作している顧客を、画像で確認することができる。管理装置を操作しているオペレータは、顧客に対して運転免許証、健康保険証、外国人登録証等の証明書類を書画台３ａの上に載置することを要求する。オペレータは、この要求を例えば音声で行う。具体的には、オペレータは、マイクを用いて、「お客様、運転免許証、健康保険証、外国人登録証等の証明書類を書画台３ａの上に載置してください。」という声を管理装置に入力する。管理装置は、入力された音声を通信回線を介して自動契約受付装置１に送信する。自動契約受付装置１は、図示していないスピーカからオペレータが発した音声を出力する。
【００２１】
自動契約受付装置１は、ｓ２にかかる処理が完了すると、書類撮像部３における書類の撮像を開始する。まず、自動契約受付装置１は、照明方向切替部５により照明部４の光源４１を点灯し、光源４２、４３を消灯し、書画台３ａに対する照明方向を左方向にする（ｓ３）。そして、書画撮像カメラ３１で書画台３ａに載置されている証明書類を撮像し、照明方向が左方向である撮像画像（以下、左方向撮像画像と言う。）を取得する（ｓ４）。次に、自動契約受付装置１は、照明方向切替部５により照明部４の光源４２を点灯し、光源４１、４３を消灯し、書画台３ａに対する照明方向を真上方向にする（ｓ５）。そして、書画撮像カメラ３１で書画台３ａに載置されている証明書類を撮像し、照明方向が真上方向である撮像画像（以下、真上方向撮像画像と言う。）を取得する（ｓ６）。さらに、自動契約受付装置１は、照明方向切替部５により照明部４の光源４３を点灯し、光源４１、４２を消灯し、書画台３ａに対する照明方向を右方向にする（ｓ７）。そして、書画撮像カメラ３１で書画台３ａに載置されている証明書類を撮像し、照明方向が右方向である撮像画像（以下、右方向撮像画像と言う。）を取得する（ｓ８）。
【００２２】
なお、ここでは、書画台３ａに載置されている証明書類について、左方向撮像画像、真上方向撮像画像、右方向撮像画像の順に撮像画像を取得するとしたが、この順番は、右方向撮像画像、真上方向撮像画像、左方向撮像画像等、他の順番であってもよい。
【００２３】
書画台３ａに載置された証明書類がフォログラムを設けた証明書類であった場合、書画撮像カメラ３１で撮像した証明書類の撮像画像は、フォログラムが浮き出ており、証明書類における、このフォログラムが浮き出ている部分に位置する箇所については、その記載内容を確認することができない。一方、書画台３ａに載置された証明書類がフォログラムを設けた証明書類であった場合、書画撮像カメラ３１で撮像した証明書類の撮像画像におけるフォログラムの浮き出る位置は、撮像時の照明方向によって変化する。例えば、図５に示すように、左方向撮像画像、真上方向撮像画像、および右方向撮像画像で、フォログラムが浮き出る位置が異なる。図５（Ａ）は、左方向撮像画像を示し、図５（Ｂ）は、真上方向撮像画像を示し、図５（Ｃ）は、右方向撮像画像を示している。また、図５（Ａ）、（Ｂ）、（Ｃ）において、ハッチングで示す領域が、フォログラムが浮き出て、記載内容が確認できない領域である。図５では、文字のみの撮像画像を示しているが、実際には、証明書類に印刷されている模様や、貼付されている顔写真等も撮像されている。
【００２４】
自動契約受付装置１は、取得した左方向撮像画像、真上方向撮像画像、および右方向撮像画像を用いて、合成画像を生成する合成画像生成処理を行う（ｓ９）。この合成画像生成処理は、合成画像生成部６において行われる。合成画像生成部６は、上記処理で取得した左方向撮像画像、真上方向撮像画像、および右方向撮像画像の３つの撮像画像の対応する画素毎に、その画素値の平均を画素値とした合成画像を生成する。これにより、合成画像生成部６では、ｓ９で、左方向撮像画像、真上方向撮像画像、および右方向撮像画像のいずれかの画像でフォログラムが浮き出ていた箇所を、フォログラムが浮き出ていなかった他の撮像画像によって画素値を補正した合成画像を生成することができる。図６は、このｓ９で生成された合成画像を示す図である。これにより、左方向撮像画像、真上方向撮像画像、および右方向撮像画像のいずれかの画像でフォログラムが浮き出ていた箇所についても、記載内容を確認することができる撮像画像（合成画像）を得ることができる。
【００２５】
自動契約受付装置１は、ｓ９で生成した合成画像を管理装置２に通知するとともに（ｓ１０）、顧客に対して、書画台３ａに載置している証明書類の受け取りを要求するガイダンスを行う（ｓ１１）。ｓ１１にかかるガイダンスは、音声出力で行ってもよいし、表示部８における表示器８ａの画面表示で行ってもよい。これにより、顧客が書画台３ａに載置した証明書類を受け取る。
【００２６】
オペレータは、管理装置において、上述した処理で取得した証明書類の合成画像を確認し、今回使用された証明書類が偽造されたものであるかどうかを判断する。また、証明書類に貼付されていた顔写真が合成画像に含まれている場合には、顧客撮像カメラで撮像されている顧客の顔画像と、合成画像に含まれている顔写真と、を比較して、顧客と顔写真の人物とが一致しているかどうかを確認する。オペレータは、顧客との契約を許可するかどうかを総合的に判断する。オペレータは、顧客との契約を許可すると判断すると契約許可にかかる入力操作を行い、顧客との契約を許可しないと判断すると契約不許可にかかる入力操作を行う。管理装置は、オペレータにより入力された契約許可、または契約不許可を自動契約受付装置１に通知する。
【００２７】
自動契約受付装置１は、管理装置からの契約許可、または契約不許可の通知を待っており、契約許可が通知されると、ｓ１２で契約許可と判定し、契約書の印字発行等を含めた契約処理を行い（ｓ１３）、管理装置との回線を切断し（ｓ１４）、本処理を終了する。ｓ１３では、印字発行した契約書に、住所の記入、署名、捺印等を行わせ、これを書画台３ａに載置させる。また、自動契約受付装置１が、書類撮像部３による書類の撮像を開始し、書画台３ａに載置された契約書を撮像し、この契約書の撮像画像を管理装置に送信する。オペレータは、管理装置において、契約書における利用者の記載に不備がないかどうかを確認し、不備があればその修正を指示する。この指示も、上述した証明書類の載置等にかかる要求と同じように、音声で行えばよい。オペレータは、契約書に不備がなければ、自動契約受付装置１に対して、その契約書の回収を指示する入力操作を行う。自動契約受付装置１は、契約書の回収が指示されると、契約書を回収するとともに、カード発行部１１において、顧客に対して発行するカードをカード発行口１１ａに放出する。契約書の回収については、書画台３ａに載置されている契約書を自動的に回収する構成を設けておいてもよいし、顧客に契約書を本体に形成している回収口から本体に挿入させるようにしてもよい。また、自動契約受付装置１は、ｓ１４で、書類撮像部３や、顧客撮像部７等を停止状態に移行させる。
【００２８】
また、自動契約受付装置１は、管理装置から契約不許可が通知されると、ｓ１２で契約不許可と判定し、ｓ１３にかかる処理を行うことなく、ｓ１４にかかる処理を実行し、本処理を終了する。このとき、自動契約受付装置１は、契約できないことを顧客に通知する。
【００２９】
このように、この実施形態にかかる自動契約受付装置１は、書画台３ａに載置された証明書類を、照明方向を異ならせた複数枚の撮像画像を取得し、これら複数枚の撮像画像を用いた合成画像を生成する。したがって、フォログラムが設けられた証明書類であっても、記載内容が確認できる画像（合成画像）が得られる。このため、自動契約受付装置１は、フォログラムを設けた証明書類が使用されても、顧客との契約が行えないという事態の発生頻度が抑えられる。
【００３０】
また、自動契約受付装置１が、ｓ９で生成した合成画像を管理装置に送信する前に、今回使用された証明書類が偽造されたものであるかどうかを簡易的に判定する構成を備えてもよい。図７は、この構成を備えた自動契約受付装置の動作を示すフローチャートである。図７では、図４と同じ処理については、同じステップ番号を付している。この自動契約受付装置１も、上述した装置と同様に、ｓ１〜ｓ９の処理を行い、合成画像を取得する。この自動契約受付装置１は、証明書類の種類毎に証明書類に印刷されている模様の基準画像や、顔写真の貼付位置等にかかる情報を合成画像生成部６に設けた画像メモリに記憶している。また、合成画像生成部６は、この画像メモリに記憶している情報を用いて、ｓ９で生成した合成画像について、証明書類に印刷されている模様や、顔写真の貼付位置が適正であるかを判定することにより、今回使用された証明書類が偽造されたものであるかどうかを簡易的に判定する（ｓ２１）。
【００３１】
自動契約受付装置１は、今回使用された証明書類が偽造されたものでないと判定すると、上述したｓ１０以降の処理を行う。反対に、今回使用された証明書類が偽造されたものであると判定すると、その旨を管理装置に通知し（ｓ２２）、上述したｓ１４に進む。管理装置は、自動契約受付装置１から今回使用された証明書類が偽造されたものであるかどうかの判定結果を表示等によって、オペレータに通知する。したがって、自動契約受付装置１における簡易的な判定で、今回使用された証明書類が偽造されたものであると判定された場合における、オペレータの作業負担を低減することができる。
【００３２】
また、ｓ９にかかる合成画像生成処理を、図８に示す処理に置き換えてもよい。自動契約受付装置１は、今回取得した左方向撮像画像、真上方向撮像画像、および右方向撮像画像の３つの撮像画像を管理装置に送信する（ｓ３１）。管理装置は、自動契約受付装置１から送信されてきた左方向撮像画像、真上方向撮像画像、および右方向撮像画像の３つの撮像画像を表示し、撮像画像毎にオペレータによるフォログラムが浮き出ている領域の指定を受け付ける。オペレータは、撮像画像毎に、表示画面上でフォログラムが浮き出ている領域を円や矩形等で囲むことにより、フォログラムが浮き出ている領域を指定する。管理装置は、撮像画像毎に、オペレータが指定したフォログラムが浮き出ている領域を自動契約受付装置１に通知する。
【００３３】
自動契約受付装置１は、左方向撮像画像、真上方向撮像画像、および右方向撮像画像の３つの撮像画像について、管理装置２から指定されたフォログラムが浮き出ている領域が通知されると（ｓ３２）、左方向撮像画像、真上方向撮像画像、および右方向撮像画像のそれぞれについて、指定されたフォログラムが浮き出ている領域を切り取る（ｓ３３）。そして、フォログラムが浮き出ている領域を切り取った、これらの画像を重ね合わせて合成画像を生成する（ｓ３４）。したがって、図８に示す処理で合成画像を生成した場合も、フォログラムを設けた証明書類について、記載内容が確認できる画像（合成画像）が得られるので、上記の自動契約受付装置１と同様に、フォログラムを設けた証明書類が使用されても、顧客との契約が行えないという事態の発生頻度が抑えられる。
【００３４】
なお、上記の説明では、自動契約受付装置１は、照明方向が異なる３つの撮像画像を撮像し、これらの画像を用いて合成画像を生成するとした、照明方向が異なる２つの撮像画像や、照明方向が異なる４つ以上の撮像画像を用いて、合成画像を生成する構成としてもよい。
【００３５】
また、複数の光源４１、４２、４３を設け、各光源の点灯、消灯を制御することにより、書画台３ａに載置された証明書類に対する照明方向を切り替えるとしたが、設ける光源を１つとし、この光源を移動させる機構部を備え、光源を移動させることによって、書画台３ａに載置された証明書類に対する照明方向を切り替える構成としてもよい。
【００３６】
さらに、この発明にかかる合成画像生成装置は、フォログラムを設けた証明書類を撮像する装置であれば、上述した自動契約受付装置１に限らず、他の種類の装置にも適用できる。
【図面の簡単な説明】
【００３７】
【図１】自動契約受付装置の外観を示す外観図である。
【図２】自動契約受付装置の主要部の構成を示すブロック図である。
【図３】書画台周辺の概略図である。
【図４】自動契約受付装置の動作を示すフローチャートである。
【図５】証明書類の撮像画像を示す図である。
【図６】合成画像を示す図である。
【図７】別の自動契約受付装置の動作を示すフローチャートである。
【図８】別の自動契約受付装置の合成画像生成処理を示すフローチャートである。
【符号の説明】
【００３８】
１−自動契約受付装置
２−制御部２
３−書類撮像部
３ａ−書画台
４−照明部
５−照明方向切替部
６−合成画像生成部
７−顧客撮像部
８−表示部
９−操作部
１０−書類発行／回収部
１１−カード発行部
１２−通信部
３１−書画撮像カメラ
４１、４２、４３−光源
【図１】
2009176082.tif 000003
【図２】
2009176082.tif 000004
【図３】
2009176082.tif 000005
【図４】
2009176082.tif 000006
【図５】
2009176082.tif 000007
【図６】
2009176082.tif 000008
【図７】
2009176082.tif 000009
【図８】
2009176082.tif 000010